(57)【要約】【課題】  トイレ装置において、雑菌の付着や繁殖によるぬめりやカビの発生および汚れを抑制して、清潔性を確保すること【解決手段】  給水源３から温水洗浄便座分岐栓４を介して連結しロータンク１へ給水する給水系統と、給水源３から前記温水洗浄便座分岐栓４を介して連結し逆止弁５および温水タンク２および切替弁６を経由して人体洗浄ノズル７を収納したシリンダ８とノズル洗浄手段９へ給水する給水系統とのうち少なくとも一方の給水系統の途中に、金属イオン発生装置１０を備えて、雑菌の付着や繁殖によるぬめりやカビの発生および汚れを抑制する  【選択図】図１  
2005336856.tif 000002
【特許請求の範囲】
【請求項１】
給水源に連結した配管を備えたロータンクおよび温水タンクと、前記ロータンクおよび前記温水タンクに配管を介してそれぞれ連結するとともに前記給水源に配管を介して連結し前記給水源から給水された洗浄水を前記ロータンクおよび温水タンクそれぞれに分岐して給水する温水洗浄便座分岐栓と、前記温水洗浄便座分岐栓に前記温水タンクを連結する配管途中に設けられ前記温水タンクへの給水を順方向とする逆止弁と、前記温水タンクに切替弁を介し配管でそれぞれ連結した人体局部を洗浄する人体洗浄ノズルを収納したシリンダおよび前記人体洗浄ノズルへ洗浄水を噴出させるノズル洗浄手段と、前記給水源に前記シリンダおよび前記ノズル洗浄手段を連結する配管途中および前記給水源にロータンクを連結する配管途中のすくなくとも一方の配管途中に殺菌性の銀イオンなどを発生させる前記金属イオン発生装置とを備えたことを特徴とするトイレ装置。
【請求項２】
請求項１に記載するトイレ装置において、殺菌性の銀イオンなどを発生させる前記金属イオン発生装置を前記温水タンクと前記逆止弁とを連結する配管途中に備えたことを特徴とするトイレ装置。
【請求項３】
請求項１に記載するトイレ装置において、殺菌性の銀イオンなどを発生させる前記金属イオン発生装置を前記温水タンクの中に備えたことを特徴とするトイレ装置。
【請求項４】
請求項１に記載するトイレ装置において、殺菌性の銀イオンなどを発生させる前記金属イオン発生装置を前記温水タンクと前記切替弁を連結する配管途中に備えたことを特徴とするトイレ装置。
【請求項５】
請求項１に記載するトイレ装置において、殺菌性の銀イオンなどを発生させる前記金属イオン発生装置を前記切替弁と前記ノズル洗浄手段とを連結する配管途中に備えたことを特徴とするトイレ装置。
【請求項６】
請求項２、４，５に記載するトイレ装置において、殺菌性の銀イオンなどを発生させる前記金属イオン発生装置を前記逆止弁および前記温水タンクおよび前記切替弁および前記人体洗浄ノズルを収納した前記シリンダおよび前記ノズル洗浄手段などの洗浄機器を内蔵した洗浄装置ケース内に備えたことを特徴とするトイレ装置。
【請求項７】
請求項１に記載するトイレ装置において、殺菌性の銀イオンなどを発生させる前記金属イオン発生装置を前記給水源と前記温水洗浄便座分岐栓とを連結する配管途中に備えたことを特徴とするトイレ装置。
【請求項８】
請求項１に記載するトイレ装置において、殺菌性の銀イオンなどを発生させる前記金属イオン発生装置を前記温水洗浄便座分岐栓と前記ロータンクを連結する配管途中に備えたことを特徴とするトイレ装置。
【請求項９】
請求項１に記載するトイレ装置において、殺菌性の銀イオンなどを発生させる前記金属イオン発生装置を前記ロータンクの中に備えたことを特徴とするトイレ装置。
【請求項１０】
請求項１乃至請求項９のいずれか一つに記載するトイレ装置において、前記金属イオン発生装置から発生する金属イオンが銀イオン、銅イオン、亜鉛イオンの一種または２種以上の組み合わせであることを特徴とするトイレ装置。
【発明の詳細な説明】
【技術分野】
【０００１】
本発明は、トイレ装置に関し、特に、銀イオンなどの抗菌および殺菌性をもつ金属イオンを溶解した水を利用して、温水タンクや弁や洗浄ノズルおよびロータンクや便器および配管などの各部位に対し、雑菌の付着や繁殖に起因する水アカやぬめりやカビや臭気などを抑制し清潔性を確保するための温水洗浄便座装置に関するものである。
【背景技術】
【０００２】
従来から、周知のように、排便または排尿後、便器に内蔵されたノズルから噴出する洗浄水（湯水）で人体の局部を洗浄する機構を備えた温水洗浄便座装置が提供されている。しかして、温水洗浄便座装置を構成する各部位においては、雑菌の付着や繁殖に起因する水アカやぬめりやカビや臭気などが発生したり、汚れが落ちにくいという問題がった。
【０００３】
そのために温水洗浄便座装置を構成する各部位の清潔性および清浄性を確保するために、従来いろいろな手段が提供されている。
【０００４】
たとえば温水洗浄便座の便座本体や洗浄ノズルを形成する樹脂材に抗菌剤をねりこんで、雑菌の発生を抑制したり殺菌したりする手段や、衛生陶器を構成する便器に対し、汚れが付着しにくい表面処理、たとえば「プロガード」（イナックス株式会社製）の商品名で市販されている表面処理などが提供されている。
【０００５】
また温水洗浄便座装置の便座を、便器から容易に着脱できる構成にして、温水洗浄便座の洗浄ノズルや便器を清掃しやすくすることにより、定期的に各部位を清掃することにより清潔性を確保する手段なども提供されている。
【０００６】
また温水洗浄便座を構成する人体洗浄ノズルにおいては、特許文献１に示すように、人体洗浄ノズルの動きに関連させて、新たに設けたノズル洗浄手段から直接洗浄水を噴出させて、積極的に人体洗浄ノズルを洗浄するようにしたノズル洗浄手段も提供されている。
【０００７】
次に衛生陶器においては、水洗トイレ用固形洗浄剤をロータンク内に投入したりロータンクの手洗い面上などに置いて、洗浄時の水流により該洗浄剤を徐々に溶解して、ロータンクおよび便器内を清浄に保つとともに、排便や排尿時の悪臭およびその分解物の悪臭などを積極的に防臭するための薬剤が知られている。
【０００８】
また衛生陶器においては、殺菌性をもつ銀イオンを溶解した洗浄水で便器を洗浄するために、特許文献２に示すようにロータンク内の洗浄水中に、銀イオン発生装置を組込んだ装置や、特許文献３に示すようにオゾン水で便器を洗浄するために洗浄水が流れる配管途中に、オゾン水の供給装置を組込んだ装置などが提供されている。
【特許文献１】特開２００１−２５４４２５号公報
【特許文献２】特開２０００−２９１０９９号公報
【特許文献３】特開平１０−３３１２３１号公報
【発明の開示】
【発明が解決しようとする課題】
【０００９】
しかしながら上記のようなトイレ装置には、次のような問題がある。
【００１０】
（１）洗浄ノズルに対して洗浄ノズルの樹脂材に抗菌剤をねりこんだり、衛生陶器を構成する便器に対して汚れが付着しにくい表面処理などを施したりしたものでは、積極的に汚れのもととなるカビ菌などの雑菌の付着や繁殖を抑制する効果が薄い。
【００１１】
（２）温水洗浄便座装置の便座を、便器から容易に着脱して清掃しやすい構成しているものでは、清掃に対する手間がかかりまた、雑菌で汚れた各部材を清掃するという作業自体に心理的負担も大きい。
【００１２】
（３）特許文献１に示すような、人体洗浄ノズルの動きに関連させて、該人体洗浄ノズルへ洗浄水を直接噴出させて直接洗浄するものでは、汚物などに対する洗浄効果は期待出来るが、ノズル表面へ付着した雑菌の殺菌処理は出来ないので、雑菌に起因するぬめりやカビの発生や汚れを防ぐことは出来ない。
【００１３】
（４）水洗トイレ用固形洗浄殺菌剤をロータンク内に投入したり、ロータンク上の手洗い面上に置くようなものでは、水洗トイレ用固形洗浄殺菌剤が、使用回数や時間の経過とともに消費されていくので、交換し保全していく手間がかかるしまた、温水洗浄便座側に給水される洗浄水には、水洗トイレ用固形洗浄殺菌剤を溶解した洗浄水は供給されないので、温水タンクや人体洗浄ノズルや配管などの各部位に雑菌の付着や繁殖があったり、雑菌や有機成分に起因するぬめりやカビの発生や汚れを防ぐことは出来ない。
【００１４】
（５）衛生陶器において、殺菌性をもつ銀イオンを溶解した洗浄水で便器を洗浄するために、特許文献２に示すように、ロータンク内の洗浄水中に銀イオン発生装置を組込んだ装置では、温水洗浄便座側の洗浄水には銀イオンを溶解した洗浄水は給水されないので、温水洗浄便座側を構成する温水タンクや特に人体洗浄ノズルなどの各部位に、雑菌の付着や繁殖があったり、雑菌や有機成分に起因するぬめりやカビの発生や汚れを防ぐことは出来ない。
【００１５】
（６）衛生陶器において、オゾン水で便器を洗浄するために、特許文献３に示すように洗浄水が流れる配管途中に、オゾン水供給装置を組込んだ装置では、温水洗浄便座側の洗浄水にはオゾン水は供給されないので、これも温水タンクや特に人体洗浄ノズルなどの各部位に、雑菌の付着や繁殖があったり、雑菌や有機成分に起因するぬめりやカビの発生や汚れを防ぐことは出来なかったり、オゾンは発生後すみやかに分解しやすいので、時間の経過とともに殺菌効果が減衰する上、オゾン水が持つオゾンの活性作用によって、ノズルや便座を形成する樹脂材を劣化させる。。
【００１６】
本発明はこのような実情に鑑みてなされたものであり、排便または排尿後に、人体の局部を洗浄する機構を備えた温水洗浄便座装置に対して、雑菌の付着や繁殖に起因するぬめりやカビの発生および、有機成分などの付着による汚れ抑制して、温水洗浄便座装置を構成する各部位の清潔性および清浄性を確保することを技術課題とするものである。
【課題を解決するための手段】
【００１７】
上記した技術的課題を解決するためになされた請求項１の発明は、給水源に連結した配管を備えたロータンクおよび温水タンクと、前記ロータンクおよび前記温水タンクに配管を介してそれぞれ連結するとともに前記給水源に配管を介して連結し前記給水源から給水された洗浄水を前記ロータンクおよび温水タンクそれぞれに分岐して給水する温水洗浄便座分岐栓と、前記温水洗浄便座分岐栓に前記温水タンクを連結する配管途中に前記温水タンクへの給水を順方向とする逆止弁と、前記温水タンクに切替弁を介し配管でそれぞれ連結した人体局部を洗浄する人体洗浄ノズルを収納したシリンダおよび前記人体洗浄ノズルへ洗浄水を噴出させるノズル洗浄手段と、前記給水源に前記シリンダおよび前記ノズル洗浄手段を連結する配管途中および前記給水源にロータンクを連結する配管途中のすくなくとも一方の配管途中に殺菌性の銀イオンなどを発生させる前記金属イオン発生装置とを備えたことを特徴とするトイレ装置としたことである。
【００１８】
上記した技術的課題を解決するためになされた請求項２の発明は、請求項１に記載するトイレ装置において、殺菌性の銀イオンなどを発生させる前記金属イオン発生装置を前記温水タンクと前記逆止弁とを連結する配管途中に備えたことを特徴としている。
【００１９】
上記した技術的課題を解決するためになされた請求項３の発明は、請求項１に記載するトイレ装置において、殺菌性の銀イオンなどを発生させる前記金属イオン発生装置を前記温水タンクの中に備えたことを特徴としている。
【００２０】
上記した技術的課題を解決するためになされた請求項４の発明は、請求項１に記載するトイレ装置において、殺菌性の銀イオンなどを発生させる前記金属イオン発生装置を前記温水タンクと前記切替弁を連結する配管途中に備えたことを特徴としている。
【００２１】
上記した技術的課題を解決するためになされた請求項５の発明は、請求項１に記載するトイレ装置において、殺菌性の銀イオンなどを発生させる前記金属イオン発生装置を前記切替弁と前記ノズル洗浄手段とを連結する配管途中に備えたことを特徴としている。
【００２２】
上記した技術的課題を解決するためになされた請求項６の発明は、請求項２、４，５に記載するトイレ装置において、殺菌性の銀イオンなどを発生させる前記金属イオン発生装置を前記逆止弁および前記温水タンクおよび前記切替弁および前記人体洗浄ノズルを収納した前記シリンダおよび前記ノズル洗浄手段などの洗浄機器を内蔵した洗浄装置ケース内に備えたことを特徴としている。
【００２３】
上記した技術的課題を解決するためになされた請求項７の発明は、請求項１に記載するトイレ装置において、殺菌性の銀イオンなどを発生させる前記金属イオン発生装置を前記給水源と前記温水洗浄便座分岐栓とを連結する配管途中に備えたことを特徴としている。
【００２４】
上記した技術的課題を解決するためになされた請求項８の発明は、請求項１に記載するトイレ装置において、殺菌性の銀イオンなどを発生させる前記金属イオン発生装置を前記温水洗浄便座分岐栓と前記ロータンクを連結する配管途中に備えたことを特徴としている。
【００２５】
上記した技術的課題を解決するためになされた請求項９の発明は、請求項１に記載するトイレ装置において、殺菌性の銀イオンなどを発生させる前記金属イオン発生装置を前記ロータンクの中に備えたことを特徴としている。
【００２６】
上記した技術的課題を解決するためになされた請求項１０の発明は、請求項１乃至請求項９のいずれか一つに記載するトイレ装置において、前記金属イオン発生装置から発生する金属イオンが銀イオン、銅イオン、亜鉛イオンの一種または２種以上の組み合わせであることを特徴としている。
【発明の効果】
【００２７】
請求項１に記載の発明によれば、上記給水源に温水洗浄便座分岐栓および温水タンクを介して人体洗浄ノズルを収納するシリンダおよびノズル洗浄手段を連結する配管途中と、前記給水源に温水洗浄便座分岐栓を介してロータンクを連結する配管途中とのすくなくとも一方の配管途中に、殺菌性の銀イオンなどを発生させる金属イオン発生装置を備えているので、前記給水源に前記人体洗浄ノズルを収納するシリンダおよび前記ノズル洗浄手段を連結する配管と前記給水源にロータンクを連結する配管とのすくなくとも一方の配管には、殺菌性の銀イオンなどの金属イオンを溶解させた洗浄水を給水する事が出来る。
【００２８】
その結果、殺菌性の銀イオンなどの金属イオンを溶解した洗浄水が、前記人体洗浄ノズルや前記ノズル洗浄手段や前記ロータンクや便器などに流れて、それらの各部位を洗浄、殺菌することができるので、トイレ装置への雑菌の付着や繁殖に起因する水アカ、ぬめり、カビ、汚れや臭気が抑制されて清潔性が確保される。
【００２９】
また殺菌性の銀イオンなどの金属イオンを溶解した洗浄水は、安定した殺菌力を有するとともに、人体に無害で人体の局部の殺菌もでき、かつ安価な洗浄水の洗浄水殺菌装置が得られるという効果もある。
【００３０】
請求項２に記載の発明によれば、上記温水タンクと温水洗浄便座分岐栓を連結する配管途中に、前記温水タンクへの給水を順方向とする逆止弁を介在させるとともに、前記逆止弁と前記温水タンクを連結する配管途中には、殺菌性の銀イオンなどを発生させる金属イオン発生装置を備えているので、前記温水タンクには、洗浄水供給時に洗浄水に殺菌性の銀イオンなどの金属イオンを溶解させた洗浄水が給水される。
【００３１】
その結果、前記温水タンクに連結している人体洗浄ノズルならびに人体洗浄ノズルへ洗浄水を噴出させるノズル洗浄手段には、殺菌性の銀イオンなどの金属イオンを溶解させた洗浄水が給水されて、前記人体洗浄ノズルの殺菌および洗浄を行なうことが出来るしまた、前記人体洗浄ノズルを洗浄したあとの洗浄水は便器内に排出されるため、同時に便器内の殺菌および洗浄も行うことも出来て、トイレ装置への雑菌の付着や繁殖に起因する水アカ、ぬめり、カビ、汚れや臭気が抑制されて清潔性が確保される。
【００３２】
また、人体洗浄ノズルから洗浄水を噴出させて、排便または排尿者の局部の洗浄するとき、局部の殺菌も行うことが出来るので、局部の清潔性も確保される。
【００３３】
請求項３に記載の発明によれば、殺菌性の銀イオンなどを発生させる金属イオン発生装置は、温水タンクの中に備えているので、給水系統が複雑化することなくまた、既存の給水系統も流用できてトイレ装置の構造を大幅に変更する必要はない。
【００３４】
また請求項２に記載の発明による効果のところで説明したように、温水タンクから人体洗浄ノズルとノズル洗浄手段には、殺菌性の銀イオンを溶解させた洗浄水が給水されて、同じように人体の局部および前記人体洗浄ノズルと便器の殺菌および洗浄を行なうことができる。
【００３５】
請求項４に記載の発明によれば、殺菌性の銀イオンなどを発生させる金属イオン発生装置は、温水タンクと切替弁とを連絡する配管途中に備えているため、たとえばトイレ装置を長期間使わないで、前記温水タンク内の殺菌性の銀イオンなどの金属イオン濃度が低下する場合においても、洗浄水給水時には、前記金属イオン発生装置によって、適量の金属イオン濃度をもった洗浄水を、人体洗浄ノズルならびにノズル洗浄手段に給水することができる。
【００３６】
その結果、前記人体洗浄ノズルならびに前記ノズル手段には、洗浄水供給時に常時、適量の金属イオン濃度をもつ殺菌性の銀イオンなどの金属イオンを溶解させた洗浄水が給水されて、トイレ装置を長期間使用していないときでも、人体の局部および前記人体洗浄ノズルと便器の殺菌および洗浄を有効的に行なうことができる。
【００３７】
請求項５に記載の発明によれば、殺菌性の銀イオンなどを発生させる金属イオン発生装置は、切替弁とノズル洗浄手段とを連絡する配管途中に備えているため、前記ノズル洗浄手段にのみ選択的に殺菌性のある金属イオンを給水できるので、前記金属イオン発生装置を小型化でき、金属イオンの発生量も少なくて済むため高寿命化できる。
【００３８】
また集中的に前記ノズル洗浄手段のみに、金属イオンを溶解した洗浄水を給水できるので、特に人体洗浄ノズルの清潔性を確保できるのに有効な金属イオンの種類や濃度を選択することによって、特に前記人体洗浄ノズルの洗浄、殺菌効果を向上させることもできる。
【００３９】
また前記ノズル洗浄手段から、便器に排出された金属イオンを溶解した洗浄水によって、便器の殺菌および洗浄も行われ、前記人体洗浄ノズルのみならず便器も雑菌の付着や繁殖に起因する水アカ、ぬめり、カビ、汚れや臭気が抑制されて清潔性が確保される。
【００４０】
請求項６に記載の発明によれば、上記殺菌性の銀イオンなどを発生させる金属イオン発生装置は、逆止弁と温水タンクと洗浄ユニットで構成される洗浄装置ケース内に内蔵して構成されているので、トイレ装置の外部に露出した部位を増やすことなくまた、形状面でも従来と同じようなシンプルな外観形状を確保できる。
【００４１】
また既存の洗浄水の給水系統において、前記逆止弁と温水タンクを連結する配管系統を流用することができるので、洗浄装置ケースの構造も大幅に変更する必要はない。
【００４２】
請求項７に記載の発明によれば、上記殺菌性の銀イオンなどを発生させる金属イオン発生装置を、給水源と温水洗浄便座分岐栓とを連結する給水配管途中に備えているため、金属イオンを溶解させた洗浄水は、前記温水洗浄便座分岐栓から温水タンクおよびロータンクの両方に分岐して給水される。
【００４３】
その結果、前記人体洗浄ノズルならびにノズル洗浄手段に、温水タンクから上記殺菌性の銀イオンなどの金属イオンを溶解させた洗浄水が給水されて、人体の局部および人体洗浄ノズルの殺菌、洗浄を行うことができるとともに、便器洗浄時には、ロータンクから便器内にも上記金属イオンを溶解させた洗浄水が給水されるため、便器内の殺菌および洗浄も十分に行なわれ、トイレ装置の雑菌の付着や繁殖に起因する水アカ、ぬめり、カビ、汚れや臭気が抑制されて清潔性が確保される。
【００４４】
またトイレ装置では、既存の洗浄水の給水系統をそのまま流用することができるので、トイレ装置の構造を変更する必要はない。
【００４５】
請求項８、９に記載の発明によれば、上記殺菌性の銀イオンなどの金属イオン発生装置を、上記ロータンク配管途中またはロータンク中に備えていることにより、便器洗浄時には、ロータンクから便器内に金属イオンを溶解させた洗浄水を給水することが出来て、便器内の殺菌、洗浄を行うことが出来る。
【００４６】
また集中的にロータンクと便器にのみに、金属イオンを溶解した洗浄水を給水できるので、特にこれらの部位の殺菌や洗浄に有効な金属イオンの種類や濃度を選択することによって、殺菌、洗浄効果を向上させることもできる
この結果、ロータンクおよび便器への雑菌の付着や繁殖に起因する水アカ、ぬめり、カビ、汚れや臭気が抑制されて清潔性が確保される。
【００４７】
請求項１０に記載の発明によれば、
請求項１乃至請求項９のいずれか一つに記載するトイレ装置において、上記金属イオン発生装置によって発生する金属イオンを銀イオン、銅イオン、亜鉛イオンの一種または２種以上の組み合わせとしているため、給水源から供給される水質や雑菌の種類やまた使用条件に応じて、金属イオンの種類や組み合わせや濃度を選択することにより、トイレ装置への雑菌の付着や繁殖に起因する水アカ、ぬめり、カビ、汚れや臭気を、より効果的に抑制することが出来る。
【発明を実施するための最良の形態】
【００４８】
以下、本発明に係わる実施の形態を、図面に基づいて説明する。
【００４９】
（第１実施形態例）
以下本発明に係わる実施の形態の第１例を、図１に基づいて説明する。
【００５０】
図１は、本発明のトイレ装置の給水系統を示したブロック図で、金属イオン発生装置１０を、逆止弁５と温水タンク２を連結する温水タンク配管２ａ途中に配設したときのブロック図である。
【００５１】
図１において、一定の水圧を有する給水源３に、温水洗浄便座分岐栓配管４ａを介して連結した温水洗浄便座分岐栓４には、ロータンク配管１ａを介してロータンク１が連結されるとともに、また温水タンク配管２ａを介して洗浄装置ケース１１内にある温水タンク２が、逆止弁５および金属イオン発生装置１０を介してそれぞれ連結されて、給水源３から供給される洗浄水は、ロータンク１と洗浄装置ケース１１内にある温水タンク２とにそれぞれ分岐されて給水するようになっている。
【００５２】
ロータンク１は、一般的には便器とは、図示しない洗浄管で連結して便器本体の後部上面に戴置され、便器を洗浄するための洗浄水が貯溜されて、便器洗浄時に便器に洗浄水を供給するものである。
【００５３】
洗浄装置ケース１１は、図示しないが温水洗浄便座カバーの下におかれて、逆止弁５、金属イオン発生装置１０、温水タンク２、切替弁６、人体洗浄ノズル７を収納したシリンダ８およびノズル洗浄手段９を該ケース内に内蔵し、給水方向にむかって逆止弁５から順に、金属イオン発生装置１０、温水タンク２、切替弁６、人体洗浄ノズル７を収納したシリンダ８およびノズル洗浄手段９の順にそれぞれ配管で連結されて、シリンダ８およびノズル洗浄手段９に、金属イオン発生装置１０で生成された金属イオンを溶解させた洗浄水を給水するものである。
【００５４】
逆止弁５は、温水洗浄便座分岐栓４と温水タンク２を連結する配管２ａ途中に配設されるとともに、水洗浄便座分岐栓４から洗浄水を温水タンク２へ給水する方向を順方向とするように構成されて、温水タンク２の洗浄水が温水洗浄便座分岐栓４に逆流しないようにしている。
【００５５】
金属イオン発生装置１０は、逆止弁５と温水タンク２とを連結する温水タンク配管２ａ途中に配設され、温水洗浄便座分岐栓４から逆止弁５を介して給水された洗浄水に、図示しない外部電源の印加によって発生させた銀イオンなどの殺菌性の金属イオンを溶解させて、温水タンク２に給水する。
【００５６】
金属イオン発生装置１０は、図示しないが従来からよく知られているように、洗浄水などに所定の間隔をおいて対向して配設した殺菌性金属イオンを溶出させる金属からなる電極をアノードとして、これに電圧を印加することにより電極間に電流が流れて、アノードの電極から殺菌性イオンを発生させて、洗浄水に溶解させるものである。
【００５７】
この金属イオン発生装置の詳しい構成およびイオン発生のメカニズムは、例えば特開２０００−２９１０９９公報などに記載されている。
【００５８】
なお金属性イオンとしては、銀イオンをはじめとして銅イオン、亜鉛イオンなどが知られているが、この中では銀イオンが最も殺菌力が強く、また抗菌スペクトルが広いため比較的多くの菌に対して殺菌効果があるし、さらに低濃度で効果を発揮できるため銀イオン生成のための電気エネルギーも小さくでき、殺菌装置のコンパクト化や長寿命化しやすいのでよく使用される。
【００５９】
殺菌性の金属イオンの抗菌作用は、従来から知られているように、たとえば銀イオン（Ａｇ＋）が細菌（−に帯電）に引きつけられて、細菌内の電気的なバランスがくずれて細菌を死滅させるとともに、さらに細菌内酵素の−ＳＨ基と反応して酵素活性を失活させることなどによるものである。
【００６０】
またこの銀イオンに代表される殺菌性の金属イオンの抗菌作用は、人体に無害であることもあり、温泉やプールの水の殺菌や、洗濯機の洗浄水さらには、抗菌繊維等をはじめとして、日常生活の中において広く利用されている。
【００６１】
次に温水タンク２は、金属イオン発生装置１０と切替弁６を連結する配管途中に配設されて、給水源３から温水洗浄便座分岐栓４および逆止弁５および金属イオン発生装置１０を介して給水された、殺菌性の金属イオンの溶解した洗浄水を、貯溜するとともに洗浄時には切替弁６を介して、人体洗浄ノズル７を収納したシリンダ８およびノズル洗浄手段９に給水する。
【００６２】
したがって温水タンク２に給水される殺菌性の金属イオンを溶解した洗浄水は、人体洗浄ノズル７に対しては、人体の局部の洗浄、殺菌の洗浄水としてまた、ノズル洗浄手段９に対しては、人体洗浄ノズル７の洗浄水としてそれぞれ使用される。  
なをこの温水タンク２には、図示しないが洗浄水を適当な温度に昇温・保持するように温水ヒータと温度制御装置が具備されて場合もある。
【００６３】
切替弁６は、温水タンク２と切替弁配管６ａで連結されるとともに、人体洗浄ノズル７をそれぞれ内蔵した一対のシリンダ８とは、それぞれシリンダ配管８ａでまた、ノズル洗浄手段９とは、ノズル洗浄手段配管９ａで連結されている。
【００６４】
切替弁６は、図示しないが複数の電磁弁から構成されており、温水タンク２から給水される、殺菌性の銀イオンなどの金属イオンを溶解させた洗浄水を、１対のシリンダ８とノズル洗浄手段９へ選択的に給水制御する弁である。
【００６５】
一対のシリンダ８は、それぞれ人体洗浄ノズル７を収納し、切替弁６にシリンダ配管８ａで連絡されており、温水タンク２から洗浄水が、外部からの制御信号に基づき切替弁６を介して給水されると、人体洗浄ノズル７を洗浄水のもつ水圧によってシリンダ８から前進、露出させるとともに、洗浄水を噴出し人体の局部を洗浄、殺菌する
一対のシリンダ８には、上記のように温水タンク２から給水された洗浄水の水圧によって前進・後退する棒状のノズルが収納されているが、一方のシリンダ８に収納された人体洗浄用ノズル７は、肛門洗浄専用のものであり、他方のシリンダ８に収納された人体洗浄ノズル洗浄７は、ビデ洗浄専用のものである。
【００６６】
なお洗浄水によって前進・後退するノズルのメカニズムは、例えば特開平５−２３９８５６号公報に記載されている。
【００６７】
ノズル洗浄手段９は、切替弁６にノズル洗浄手段配管９ａで連絡され、前記温水タンク２から殺菌性の銀イオンなどの金属イオンを溶解させた洗浄水が、外部からの制御信号に基づき切替弁６を介して給水されて、一対のシリンダ８からそれぞれ前進、露出した人体洗浄用ノズル７に対して、この洗浄水を噴出させることにより、人体洗浄ノズル７を洗浄、殺菌することが出来るように配置される。
【００６８】
上記構成のトイレ装置の作動について以下に説明する。
【００６９】
使用者が排便または排尿後に、温水洗浄便座の起動スイッチを操作しONの状態にすると、複数の電磁弁で構成された切替弁６があらかじめ決められた制御パターンにもとづき作動して、給水源３から一定量の水圧をもって給水された洗浄水が、給水源３から順次配管で連絡した温水洗浄分岐栓４、逆止弁５、金属イオン発生装置１０および切替弁６を順次経由して、シリンダ８およびノズル洗浄手段９に給水される。
【００７０】
このとき、逆止弁５と温水タンク２を連結する温水タンク配管２ａ途中にある金属イオン発生装置１０にも給電されて、殺菌性のある金属イオンが発生し、洗浄水に溶解する。
【００７１】
この殺菌性のある金属イオンが洗浄水に溶解した洗浄水は、温水タンク２に給水され、切替弁配管６ａと切替弁６とシリンダ配管８ａおよびノズル洗浄手段配管９ａを介してこの順に、シリンダ８およびノズル洗浄手段７に給水される。
【００７２】
たとえばシリンダ８およびノズル洗浄手段９においては、温水洗浄便座の起動スイッチをONの状態にすると、温水タンク２の中に貯溜した殺菌性のある金属イオンが溶解した洗浄水は、一対のシリンダ８とノズル洗浄手段９へ選択的に給水する制御機能をそなえた切替弁６の作動によりまず、一対のシリンダ８のうち一方の人体洗浄ノズル７を収納するシリンダ８に、温水タンク２から給水源３とほぼ等しい水圧で洗浄水が給水されて、人体洗浄ノズル７が前進、露出したあと、該人体洗浄ノズル７の吐出口から洗浄水を噴出し、着座した使用者の局部を洗浄する。
【００７３】
図１で一対となったシリンダ８に収納されている人体洗浄ノズル７は肛門洗浄専用のものであり、他方はビデ洗浄専用のものである。
【００７４】
人体洗浄ノズル７による人体の局部を洗浄する際、洗浄水は殺菌性のある銀イオンなどの金属イオンを溶解したものであるので、使用者の肛門付近などを洗浄と同時に殺菌することも出来るしまた、人体の局部洗浄、殺菌後には、この殺菌性のある洗浄水が便器に排出されて便器内を殺菌することもできる。
【００７５】
上記人体の局部の洗浄、殺菌終了後には、選択的に給水する制御機能をそなえた切替弁６を作動させて、人体洗浄ノズル７への給水を停止させ、人体洗浄ノズル７をシリンダ８内に後退、収納させる。
【００７６】
また収納時の人体洗浄ノズル７の動きに関連させて、ノズル洗浄手段９から、人体洗浄ノズル洗浄７へ洗浄水を噴出させるように、切替弁６を制御することにより、人体洗浄ノズル７を、殺菌性のある銀イオンなどの金属イオンを溶解した洗浄水で自動的に洗浄・掃除する。
【００７７】
以上のように切替弁６を制御して、人体洗浄ノズル７およびノズル洗浄手段９に対する適当な制御パターンを選択することにより、人体の局部および人体洗浄ノズル７の洗浄、殺菌を行ったあと、使用者が温水洗浄便座の起動スイッチをOFFの状態にして、洗浄プロセスが終了する。
【００７８】
なお給水源３に温水洗浄便座分岐栓４を介して、配管でロータンク１に連結されている給水系統においては、該ロータンク１と洗浄管で連結した便器に対してロータンク１から洗浄水を排出し、便器の洗浄を行う方式は従来と同じである。
【００７９】
以上の結果、銀イオンなどの殺菌性の金属イオンを溶解した洗浄水が、人体洗浄ノズル７やノズル洗浄手段９や便器に流れて、それらを洗浄、殺菌することができるので、人体局部の殺菌とあわせ、トイレ装置への雑菌の付着や繁殖に起因する水アカ、ぬめり、カビ、汚れや臭気が抑制されて清潔性が確保される。
【００８０】
（第２実施形態例）
以下本発明の第２実施形態例を、図２に基づいて説明する。
【００８１】
図２は、本発明の温水洗浄便座と衛生陶器の洗浄水の給水系統を示したブロック図で、金属イオン発生装置１０を、温水タンク２の中に備えたブロック図である。
【００８２】
図２において、一定の水圧を有し洗浄水を供給する給水源３に温水洗浄便座分岐栓配管４ａを介して連結した温水洗浄便座分岐栓４には、ロータンク配管１ａを介して前記ロータンク１へ給水され便器を洗浄する給水系統と、前記温水洗浄便座分岐栓４および前記逆止弁５を介して前記温水タンク２へ給水され前記人体洗浄ノズル７を収納した前記シリンダ８および前記ノズル洗浄手段９へ給水する給水系統との２つの給水系統が構成されているのは、上記第１実施形態例と変わらないが、本実施形態例では、前記金属イオン発生装置１０が、前記温水タンク２の中に直接配設されている。
【００８３】
すなわち第１実施形態例では、前記金属イオン発生装置１０は、前記給水源３から前記温水洗浄便座分岐栓４および前記逆止弁２を介して前記温水タンク２へ給水され前記人体洗浄ノズル７を収納した前記シリンダ８および前記ノズル洗浄手段９へ給水する給水系統において、前記逆止弁５と前記温水タンク３を連結する温水タンク配管２ａ途中に配設されているが、本実施形態例では，当該給水系統の前記温水タンク１０内に直接配設するものである。
【００８４】
したがって、使用者が排便または排尿後に、温水洗浄便座の起動スイッチをONの状態にすると、まず実施形態例１で説明したように、複数の電磁弁で構成された前記切替弁６があらかじめ決められた制御パターンにもとづき作動し、前記シリンダ８および前記ノズル洗浄手段７には、前記給水源３から水圧を有する洗浄水が、前記給水源３から順次配管で連絡した前記温水洗浄分岐栓４、前記逆止弁５、前記金属イオン発生装置１０を備えた前記温水タンク２および前記切替弁６を経由して給水される。
【００８５】
このとき、前記温水タンク２の中に配設された、前記金属イオン発生装置１０にも給電されて殺菌性のある金属イオンが発生し、この殺菌性のある金属イオンが前記温水タンク２の中に貯溜した洗浄水に溶解して、前記温水タンク２には殺菌性のある金属イオンが溶解した洗浄水が生成される。
【００８６】
この殺菌性のある金属イオンが溶解した洗浄水は、前記切替弁６とシリンダ配管８ａおよびノズル洗浄手段配管９ａを介して、前記シリンダ８および前記ノズル洗浄手段７に給水される。
【００８７】
なお前記温水タンク２内に配設する前記金属イオン発生装置１０は、前記温水タンク２に貯留する洗浄水の中に直接、金属イオン発生電極を備えた構成のものでもよいしまた、前記温水タンク２の中に配管で連結した前記金属イオン発生装置１０を備えた構成でもよい。
【００８８】
この結果、前記温水洗浄便座分岐栓４から、前記温水タンク２を介して前記シリンダ８および前記ノズル洗浄手段９へ給水する既存の給水系統に、新たに前記金属イオン発生装置１０を追設しても、上記給水系統が複雑化することはないしまた、既存の給水系統を流用することができるので、トイレ装置の構造を大幅に変更する必要はない。
【００８９】
（第３実施形態例）
以下本発明の第３実施形態例を、図３に基づいて説明する。
【００９０】
図３に示す構造は、図１に示す構造と略同じであるが、図３の本実施形態例では、前記金属イオン発生装置１０を、前記温水タンク２と切替弁６を連結する切替弁配管６ａ途中に配設するものである。
【００９１】
したがって、使用者が排便または排尿後に、温水洗浄便座の起動スイッチを操作しONの状態にすると、まず実施形態例１で説明したと同じように、複数の電磁弁で構成された切替弁６が、あらかじめ決められた制御パターンにもとづき動作し、前記シリンダ８および前記ノズル洗浄手段７に、前記給水源３から水圧を有する洗浄水が、前記温水洗浄分岐栓４、前記逆止弁５、前記温水タンク２、前記金属イオン発生装置１０および前記切替弁６を経由して、順次給水される。
【００９２】
このとき、前記温水タンク２と前記切替弁６と連結する切替弁配管６ａ途中に配設された前記金属イオン発生装置１０にも給電されて、殺菌性のある金属イオンが発生し洗浄水に溶解し、この殺菌性のある金属イオンが溶解した洗浄水は、前記切替弁６とシリンダ配管８ａで連結した前記シリンダ８および、前記切替弁６とノズル洗浄手段配管９ａで連結したノズル洗浄手段９に給水される。
【００９３】
前記金属イオン発生装置１０は、前記温水タンク２から後の給水系統の配管に配設され、前記温水タンク２から給水された洗浄水に金属イオンを溶解させるようになっているので、たとえばトイレ装置を長期間使用しないで、前記温水タンク２の中に貯溜された殺菌性の銀イオンなどの金属イオン濃度が、時間経過とともに低下する場合においても、洗浄時にはいつも該金属イオン発生装置１０によって適量の金属イオン濃度をもった洗浄水を、前記温水タンク２から給水したあとの給水系統に給水することができる。
【００９４】
その結果、前記温水タンク２から前記切替弁６を介して、前記人体洗浄ノズル７および前記ノズル洗浄手段９には、適量の濃度をもった殺菌性の金属イオンを溶解させた洗浄水が、洗浄時には常時給水されて、前記人体洗浄ノズル７による人体局部の殺菌、洗浄及び、前記人体洗浄ノズル７の殺菌および洗浄を行なうことができる。
【００９５】
（第４実施形態例）
以下本発明の第４実施形態例を、図４に基づいて説明する。
【００９６】
図４に示す構造は、図１に示す構造と略同じであるが、図４の本実施形態例では、前記金属イオン発生装置１０を、切替弁６とノズル洗浄手段９を連結するノズル洗浄手段配管９ａ途中に配設するものである。
【００９７】
したがって利用者が排便または排尿後に、温水洗浄便座の起動スイッチをONの状態にすると、まず実施形態例１で説明したのと同じように、複数の電磁弁で構成された切替弁６があらかじめ決められた制御パターンにもとづき開閉されて、前記人体洗浄ノズル７を収納した一対の前記シリンダ８および前記ノズル洗浄手段９に、給水源３から水圧を有する洗浄水が、順次前記温水洗浄便座分岐栓４、前記逆止弁５、前記切替弁６および、前記金属イオン発生装置１０を経由して給水され、前記シリンダ８および前記ノズル洗浄手段９に給水される。
【００９８】
このとき、前記切替弁６と前記ノズル洗浄手段９を連結する前記ノズル洗浄手段配管９ａ途中にある前記金属イオン発生装置１０にも給電されて、殺菌性のある金属イオンが発生して洗浄水に溶解し、前記ノズル洗浄手段９にはノズル洗浄手段配管９ａを介して、殺菌性のある金属イオンが給水され、この殺菌性のある洗浄水によって前記人体洗浄ノズル７の殺菌および洗浄を行うことが出来る。
【００９９】
このように本実施形態例では、前記人体洗浄ノズル７を洗浄する前記ノズル洗浄手段９にのみ選択的に殺菌性のある金属イオンを給水できるので、前記金属イオン発生装置１０を小型化できると共に、必要最小限の銅イオン供給であるため、金属イオン発生装置１０の高寿命も可能となる。
【０１００】
また集中的に前記ノズル洗浄手段９のみに、殺菌性のある金属イオンを溶解した洗浄水を給水できるので、特に前記人体洗浄ノズル７の殺菌、洗浄を効果的に確保できる金属イオンの種類や濃度を選択することによって、該人体洗浄ノズル７の清潔性効果を向上させることもできる。
【０１０１】
またトイレ装置を長期間使わないで、前記温水タンク２の中に貯溜した洗浄水の金属イオン濃度が低下する場合においても、洗浄時には常時、前記金属イオン発生装置１０によって適量の金属イオン濃度をもった洗浄水を給水することができる。
【０１０２】
（第５実施形態例）
以下本発明の第５実施形態例を、図１に基づいて説明する。
【０１０３】
図１に示すように、一定の水圧を有し洗浄水を供給する給水源３に温水洗浄便座分岐栓配管４ａを介して連結した温水洗浄便座分岐栓４には、ロータンク配管１ａによってロータンク１がまた、温水タンク配管２ａによって洗浄装置ケース１１内にある前記温水タンク２が前記逆止弁５および前記金属イオン発生装置１０を介してそれぞれ連結されて、前記給水源３から供給される洗浄水を、前記温水洗浄便座分岐栓４によって、前記洗浄装置ケース１１内にある温水タンク２と、便器本体の後部上面に戴置された前記ロータンク１とに給水するようになっている。
【０１０４】
前記洗浄装置ケース１１は、図示しないが温水洗浄便座カバーの下におかれて制御機器とともに、前記逆止弁５、前記金属イオン発生装置１０、前記温水タンク２、前記切替弁６、前記人体洗浄ノズル７を収納したシリンダ８および前記ノズル洗浄手段９などの洗浄機器で構成され、各洗浄機器は給水方向にむかって前記逆止弁５から順に、前記金属イオン発生装置１０、前記温水タンク２、前記切替弁６、前記人体洗浄ノズル７を収納した前記シリンダ８および、前記ノズル洗浄手段９にそれぞれ配管で連結されて内蔵され、図１において２点鎖線で囲われた部位である。
【０１０５】
すなわち本実施形態例は、前記金属イオン発生装置１０を前記洗浄装置ケース１１内に、他の洗浄機器や制御機器とともに内蔵するよう構成したものである。
【０１０６】
前記洗浄装置ケース１１では、前記給水源３から前記温水洗浄便座分岐栓４、前記逆止弁５、前記金属イオン発生装置１０を順次介して前記温水タンク２に給水された金属イオンを溶解させた洗浄水を、前記人体洗浄ノズル７を収納した前記シリンダ８および前記ノズル洗浄手段９への給水がおこなわれている。
【０１０７】
図１では、前記洗浄装置ケース１１内に、前記金属イオン発生装置１０を構成するもの例として、前記金属イオン発生装置１０を前記逆止弁５と前記温水タンク２を連結する温水タンク配管２ａ途中に配設する例を示したが、前記金属イオン発生装置１０を前記温水タンク２の中に配設する構成でもよいしまた、前記温水タンク２と前記切替弁６を連結する切替弁配管６ａ途中に配設するものでもよいしまた、前記切替弁６とノズル洗浄手段９を連絡するノズル洗浄手段配管９ａ途中に配設するものでもよい。
【０１０８】
上記のように、前記装置ケース内１１に他の洗浄機器や制御機器とともに、前記金属イオン発生装置１０を内蔵することにより、前記金属イオン発生装置１０が、トイレ装置の外部に露出した部位を増やすことなく増設することができて、従来の前記金属イオン発生装置を備えないものと同じようなシンプルな外観形状を確保できる。
【０１０９】
（第６実施形態例）
以下本発明の第６実施形態例を、図５に基づいて説明する。
【０１１０】
図５に示す構造は、図１に示す構造と略同じであるが、図４の本実施形態例では、前記金属イオン発生装置１０を、給水源３と温水洗浄便座分岐栓４を連結する温水洗浄便座分岐栓配管４ａ途中に配設するものである。
【０１１１】
図５において、給水源３から前記温水洗浄便座分岐栓４に一定の水圧を有して給水される洗浄水は、前記温水洗浄便座分岐栓４を介して、前記ロータンク１へ給水され便器を洗浄する給水系統と、前記温水洗浄便座分岐栓４を介して前記温水タンク２へ給水され一対のシリンダ８および前記ノズル洗浄手段９へ給水する給水系統の２つの分岐した給水系統で構成されるのは、上記第１実施形態例と変わらないが、本実施形態例では、前記金属イオン発生装置１０は、前記給水源３と前記温水洗浄便座分岐栓４を連結する温水洗浄便座分岐栓配管４ａ途中に配設されている。
【０１１２】
したがって前記給水源３から給水される洗浄水は、前記ロータンク１へ給水されて便器を洗浄する給水系統と、前記温水タンク２を介して前記シリンダ８および前記ノズル洗浄手段９へ給水される給水系統との両方に、殺菌性のある金属イオンを溶解した洗浄水を供給することができる。
【０１１３】
前記ロータンク１へ給水されて便器を洗浄する給水系統では、たとえば使用者が使用後に温水洗浄便座のスイッチをＯＦＦにして人体洗浄ノズル７とノズル洗浄手段９による洗浄プロセスを終了した後、便器に前記ロータンク１から便器洗浄水を流すと、殺菌性のある金属イオンを溶解させた洗浄水が、前記ロータンク１から便器に給水され、便器の洗浄、殺菌が行われる。
【０１１４】
この結果、金属イオンを溶解させた洗浄水で、便器内の殺菌および洗浄を行うことが出来、便器への雑菌の付着や繁殖に起因する水アカ、ぬめり、カビ、汚れや臭気が抑制されて、便器の清潔性が確保される。
【０１１５】
また既存のトイレ装置洗浄水の給水系統を、そのまま流用することができるので、トイレ装置の構造を変更する必要はない。
【０１１６】
一方前記温水洗浄分岐栓４から前記温水タンク２へ給水され、前記切替弁６を介して前記シリンダ８および前記ノズル洗浄手段９へ給水される給水系統においても、殺菌性を有する金属イオンを溶解させた洗浄水が給水され、既述の実施形態例の中で説明したように、人体の局部の洗浄、殺菌とともに、前記人体洗浄ノズル７の洗浄、殺菌ができ、トイレ装置への雑菌の付着や繁殖に起因する水アカ、ぬめり、カビ、汚れや臭気が抑制されて、清潔性が確保される。
【０１１７】
（第７実施形態例）
以下本発明の第７実施形態例を、図６に基づいて説明する。
【０１１８】
図６に示す構造は、前記金属イオン発生装置１０を、温水洗浄便座分岐栓４と前記ロータンク１を連結するロータンク配管１ａ途中に配設するものである。
【０１１９】
図６において、給水源３から前記温水洗浄便座分岐栓４に給水される洗浄水は、前記温水洗浄便座分岐栓４からロータンク配管１ａを介して、前記ロータンク１へ給水されて便器を洗浄する給水系統と、前記温水洗浄便座分岐栓４から逆止弁５を介して前記温水タンク２へ給水されて前記シリンダ８および前記ノズル洗浄手段９へ給水する給水系統の２つに分岐して給水されるが、前記金属イオン発生装置１０は、前記ロータンク１へ給水されて便器を洗浄する給水系統の前記ロータンク配管１ａ途中に配設される。
【０１２０】
したがって前記給水源３から前記温水洗浄便座分岐栓４を介して、前記ロータンク１へ給水されて便器を洗浄する給水系統においては、殺菌性のある金属イオンを溶解した洗浄水が、ロータンク配管１ａ途中に配設した前記金属イオン発生装置１０によって生成され、便器に殺菌性のある金属イオンを溶解した洗浄水を給水することができる。
【０１２１】
この結果、たとえば使用者が排便または排尿後に、温水洗浄便座の起動スイッチをＯＦＦにして洗浄プロセスを終了させた後に、便器に前記ロータンク１から洗浄水を流して便器を洗浄する操作をすると、便器に殺菌性のある金属イオンを溶解させた洗浄水が前記ロータンク１から給水され、便器内の殺菌および洗浄を行うことが出来るので、便器内の雑菌の付着や繁殖に起因する水アカ、ぬめり、カビ、汚れや臭気が抑制されて清潔性が確保される。
【０１２２】
また集中的に便器へ給水する洗浄水のみに、殺菌性のある金属イオンを溶解した洗浄水を給水できるので、特に便器の殺菌、洗浄を効果的に確保できる金属イオンの種類や濃度を選択することによって、便器内の殺菌効果を向上させることもできる。
【０１２３】
また既存の洗浄水の給水系統をそのまま流用することができ、トイレ装置の構造を変更する必要もない。
【０１２４】
（第８実施形態例）
以下本発明の第８実施形態例を、図７に基づいて説明する。
【０１２５】
図７は、本発明のトイレ装置の給水系統を示したブロック図で、金属イオン発生装置１０をロータンク１の中に配設したときのブロック図である。
【０１２６】
図７において、一定の水圧を有した洗浄水を供給する給水源３には、温水洗浄便座分岐栓４から、ロータンク配管１ａを介して前記ロータンク１へ給水して便器を洗浄する給水系統と、温水タンク配管２ａ介して前記温水タンク２へ給水しさらにシリンダ８およびノズル洗浄手段９へ給水する給水系統の２つの給水系統が連結されるが、前記金属イオン発生装置１０は、前記ロータンク配管１ａを介して前記ロータンク１へ給水して便器を洗浄する給水系統の前記ロータンク１の中に配設される。
【０１２７】
前記金属イオン発生装置１０が、前記ロータンク１の中に配設されているので、前記前記温水洗浄便座分岐栓４から前記ロータンク配管１ａを介して前記ロータンク１へ給水して便器を洗浄する給水系統においては、前記ロータンク１の中で直接殺菌性のある金属イオンを溶解した洗浄水が生成され、便器に供給することができる。
【０１２８】
この結果、たとえば使用者が排便または排尿後に、人体局部の洗浄および前記人体洗浄ノズル７の洗浄を行い温水洗浄便座の起動スイッチＯＦＦにして洗浄プロセスを終了したあと、便器に前記ロータンク１から洗浄水を流す操作をすると、殺菌性のある金属イオンを溶解させた洗浄水が、前記ロータンク１から便器に給水され、便器が洗浄、殺菌される。
【０１２９】
なお前記ロータンク１の中に配設する前記金属イオン発生装置１０は、図示しないが、前記ロータンク１に貯留する洗浄水の中に直接金属イオン発生電極を備えた構成のものでもよいし、前記ロータンク１の中に前記金属イオン発生装置１０を配管で組み込んだ構成するものでもよい。
【０１３０】
以上の結果、前記ロータンク１の中に前記金属イオン発生装置１０を配設しているため、第７実施形態例と同じように前記ロータンク１から金属イオンを溶解させた洗浄水を便器に排出させで便器内の殺菌および洗浄を行うことが出来、便器内への雑菌の付着や繁殖に起因する水アカ、ぬめり、カビ、汚れや臭気が抑制されて清潔性が確保される。
【０１３１】
また前記ロータンク内１に前記金属イオン発生装置１０を配設するので、既存の洗浄水の給水系統をそのまま流用することができ、トイレ装置の構造を変更する必要もない。
【図面の簡単な説明】
【０１３２】
【図１】本発明の第１・５実施形態例に係るトイレ装置の給水ブロック図。
【図２】本発明の第２実施形態例に係るトイレ装置の給水ブロック図。
【図３】本発明の第３実施形態例に係るトイレ装置の給水ブロック図。
【図４】本発明の第４実施形態例に係るトイレ装置の給水ブロック図。
【図５】本発明の第６実施形態例に係るトイレ装置の給水ブロック図。
【図６】本発明の第７実施形態例に係るトイレ装置の給水ブロック図。
【図７】本発明の第８実施形態例に係るトイレ装置の給水ブロック図。
【符号の説明】
【０１３３】
１・・・ロータンク
１ａ・・ロータンク配管
２・・・温水タンク
２ａ・・温水タンク配管
３・・・給水源
４・・・温水洗浄便座分岐栓
４ａ・・温水洗浄便座分岐栓配管
５・・・逆止弁
６・・・切替弁
６ａ・・切替弁配管
７・・・人体洗浄ノズル
８・・・シリンダ
８ａ・・シリンダ配管
９・・・ノズル洗浄手段
９ａ・・ノズル洗浄手段配管
１０・・金属イオン発生装置
１１・・洗浄装置ケース
【図１】
2005336856.tif 000003
【図２】
2005336856.tif 000004
【図３】
2005336856.tif 000005
【図４】
2005336856.tif 000006
【図５】
2005336856.tif 000007
【図６】
2005336856.tif 000008
【図７】
2005336856.tif 000009